(57)【特許請求の範囲】
【請求項１】
口頸部（３）に第１装着筒（10）を嵌合して容器体（Ａ）に液密に装着するとともに、口頸部（３）上端開口部に掛け渡した蓋板（14）を備え、該蓋板（14）に基端を開口して注出筒（15）を起立した中栓（B1）と、該中栓（B1）に第２装着筒（20）を嵌合して液密且つ着脱可能に装着した下端開口の有頂筒状をなすとともに、頂部に立設した注出筒部（28）内中央部に棒栓（30）を支持してなる計量キャップ（B2）と、前記注出筒部（28）を液密に被覆し且つ抜け出しを防止して上下摺動可能に装着するとともに、頂板（40）に穿設した注出孔（45）に棒栓（30）の上端部を液密に嵌合した可動蓋（B3）とを備え、計量キャップ（B2）は、その頂壁（26）の上面中央部を横断して帯状に下方へ凹ませて形成した凹部（27）内に注出筒部（28）を立設してなり、可動蓋（B3）は、凹部（27）の平面形状をなす頂板（40）の周縁部から垂設した周壁部（46）により凹部（27）両側開口部分を閉塞し、頂板（40）下面より垂設した摺動筒（41）を、凹部（27）からの引き出しが可能に注出筒部（28）の外周に摺動可能に嵌合させてなることを特徴とする計量・注出用装置を有する閉蓋具。
【請求項２】
前記第１装着筒（10）内周下端部に周方向多数の係合突条（11）を突設するとともに、容器体口頸部（３）外周所定位置に周方向多数の係止突条（５）を突設し、第１装着筒（10）の口頸部（３）外周への螺合最終段階で、上記各係合突条（11）が各係止突条（５）に乗り越え係合して第１装着筒（10）の容器体（Ａ）に対する回動を防止してなる請求項１に記載の計量・注出用装置を有する閉蓋具。
【請求項３】
前記中栓（B1）外周に螺着させた第２装着筒（20）上端縁より内方へ延設した第２フランジ（21）を介して計量キャップ（B2）の外周を一体に連結してなる請求項１又は請求項２に記載の計量・注出用装置を有する閉蓋具。
【請求項４】
前記中栓（B1）の上面周縁部に起立した支持筒（16）外周に前記第２装着筒（20）を螺着させるとともに、第２装着筒（20）の上端より内方へ前記第２フランジ（21）を延設し、該第２フランジ（21）の下面に突設した環状のシール突条（23）を支持筒（16）上面に圧接し、且つ、該第２フランジ（21）の下面に突設した第１シール筒（24）を支持筒（16）内周に密嵌させてなる請求項１乃至請求項３のいずれか１項に記載の計量・注出用装置を有する閉蓋具。
【発明の詳細な説明】
【技術分野】
【０００１】
本発明は計量・注出用装置を有する閉蓋具に関する。
【背景技術】
【０００２】
容器体の口頸部に装着する閉蓋具であって、計量・注出用装置を有する閉蓋具が提案されている。（例えば特許文献１参照）
【０００３】
上記閉蓋具は、容器の口筒部に嵌着できる筒体を設け、この筒体の内周より注出筒を上方に向けて立設するとともに、筒体に筒状キャップを装着し、筒状キャップの頂板には、前記注出筒の開口内に連通する注出孔を穿設するとともに、頂板の下面より計量筒を、注出筒の外側に垂下して設け、筒状キャップの肩部には、外蓋を回動自在に設け、外蓋の下面には、前記注出孔に密嵌する閉孔具を設けた計量カップ付キャップとして構成している。
【０００４】
この計量カップ付キャップは、容器の内容液を計量して取り出すことができて便利であり、しかも計量筒へ容器の内容液が注ぎ易く、計量を必要としない注出時には、堅く嵌合されたキャップを取り外さないでも内容液の注出ができるという特有の効果を発揮するものである。
【特許文献１】実開昭６４−０５３０５０号公報
【発明の開示】
【発明が解決しようとする課題】
【０００５】
前記計量カップ付きキャップは、内容液を計量して使用する場合、外した筒状キャップ内に容器内の液を注入して計量し、しかる後筒状キャップを傾けてその開口部分より被注入部分に注入する。その際被注入部分が広い開口面積を有するものであれば問題はないが、開口面積の小さいものの場合にはこぼしてしまう虞があり、せっかく計量した液の量が不正確となる。慎重に注入すればこれらの不都合を防止できるが、煩わしさや時間がかかる等他の不都合を生じる。
【０００６】
本発明は上記した点に鑑みてなされたもので、筒状ノズルからの液の注出使用、或いは計量しての使用が可能であり、また、計量液をこぼすことなく容易に被注入部分に注入することができる優れた計量・注出用装置を有する閉蓋具を提案する。
【課題を解決するための手段】
【０００７】
本発明の計量・注出用装置を有する閉蓋具は、容器体の口頸部に装着するもので、中栓と、計量キャップと、可動蓋とを備えている。
【０００８】
装着する容器体は、合成樹脂，ガラス等で形成されたもので、胴部より口頸部を起立したタイプのものが好ましく使用できる。また、胴部を弾性的な圧搾が可能に構成し、胴部の圧搾により収納液を注出する如く構成しても良い。
【０００９】
中栓は合成樹脂等により形成され、容器体口頸部に第１装着筒を嵌合して容器体に液密に装着したもので、口頸部上端開口部に掛け渡した蓋板を備え、また、蓋板に基端を開口して上方へ起立した注出筒を備えている。第１装着筒は容器体口頸部に対して螺着させて嵌合係止しても、打設により突条相互の乗り越え係合により嵌合係止してもよいが、容器体に対する中栓の回転を防止する手段を設けると良い。回転を防止する手段を設けることにより、比較的頻繁に着脱するであろう計量キャップを螺着する形態で係止した場合に、その螺脱により中栓が一緒に螺脱するという不都合を防止できる。
【００１０】
計量キャップも合成樹脂等により形成されたもので、内部を計量室として倒立した状態で中栓に対して着脱可能に装着されている。また、中栓に対して第２装着筒を嵌合して液密且つ着脱可能に装着した下端開口の有頂筒状をなしており、可動蓋により開閉される注出筒部を頂部に立設している。注出筒部は下端を頂部に開口した筒状で、内部中央部に棒栓を支持している。棒栓の支持形態は注出筒部内の液の流通が可能であれば種々の形態を採用できる。また、棒栓の上端部は可動蓋の注出孔に嵌合させるために、注出筒部よりやや上方へ突出させていると良いが、突出していなくても可動蓋の頂板を凹ませる等して対応できる。収納液を計量使用したい場合には中栓から計量キャップを外して使用する。
【００１１】
可動蓋は、注出筒部を液密に被覆し且つ抜け出しを防止して上下摺動可能に装着するとともに、頂板に穿設した注出孔に棒栓の上端部を液密に嵌合している。従って、可動蓋が下方の最下降状態では注出孔を棒栓が閉塞しており、必要に応じて可動蓋を引き上げれば、注出孔が開いて容器体内の液を注出することができる如く構成している。従って計量しないで液の注出を行う場合にはそのまま注出筒部と連通する注出孔より液を注出するか、或いは計量キャップを外して中栓の注出筒から注出する。
【００１２】
第１の手段として、口頸部３に第１装着筒10を嵌合して容器体Ａに液密に装着するとともに、口頸部３上端開口部に掛け渡した蓋板14を備え、該蓋板14に基端を開口して注出筒15を起立した中栓B1と、該中栓B1に第２装着筒20を嵌合して液密且つ着脱可能に装着した下端開口の有頂筒状をなすとともに、頂部に立設した注出筒部28内中央部に棒栓30を支持してなる計量キャップB2と、前記注出筒部28を液密に被覆し且つ抜け出しを防止して上下摺動可能に装着するとともに、頂板40に穿設した注出孔45に棒栓30の上端部を液密に嵌合した可動蓋B3とを備え、計量キャップB2は、その頂壁26の上面中央部を横断して帯状に下方へ凹ませて形成した凹部27内に注出筒部28を立設してなり、可動蓋B3は、凹部27の平面形状をなす頂板40の周縁部から垂設した周壁部46により凹部27両側開口部分を閉塞し、頂板40下面より垂設した摺動筒41を、凹部27からの引き出しが可能に注出筒部28の外周に摺動可能に嵌合させた。
【００１４】
第２の手段として、前記第１の手段に於いて、前記第１装着筒10内周下端部に周方向多数の係合突条11を突設するとともに、容器体口頸部３外周所定位置に周方向多数の係止突条５を突設し、第１装着筒10の口頸部３外周への螺合最終段階で、上記各係合突条11が各係止突条５に乗り越え係合して第１装着筒10の容器体Ａに対する回動を防止した。
【００１５】
第３の手段として、前記第１の手段又は第２の手段に於いて、前記中栓B1外周に螺着させた第２装着筒20上端縁より内方へ延設した第２フランジ21を介して計量キャップB2の外周を一体に連結した。
【００１６】
第４の手段として、前記第１の手段乃至第３の手段のいずれかの手段に於いて、前記中栓B1の上面周縁部に起立した支持筒16外周に前記第２装着筒20を螺着させるとともに、第２装着筒20の上端より内方へ前記第２フランジ21を延設し、該第２フランジ21の下面に突設した環状のシール突条23を支持筒16上面に圧接し、且つ、該第２フランジ21の下面に突設した第１シール筒24を支持筒16内周に密嵌させた。
【発明の効果】
【００１７】
本発明の計量・注出用装置を有する閉蓋具は、可動蓋B3を引き上げての液の注出のほかに計量キャップB2を外しての一度に大量の液の注出が可能であり、また、必要に応じて適量の計量した液の使用も可能であり、しかもそれらの操作を極めて簡単に行える。また、可動蓋B3を移動させての通常の液の注出の際に、或いは計量キャップB2を使用しての液の計量使用の際には、比較的小面積の注出孔45から液を注出することができるため、被注入部位が面積の狭い場合でも周囲にこぼす等の不都合なく注入を行える。
【００１８】
前記計量キャップB2が、その頂壁26を下方へ凹ませて形成した凹部27内に前記注出筒部28を立設してなり、前記可動蓋B3が、前記注出筒部28に前記凹部27からの引き出しが可能に嵌合させた場合には、計量キャップB2を使用しての計量の際に、計量キャップB2を台上等に安定して載置させることができる利点がある。
【００１９】
前記第１装着筒10内周下端部に周方向多数の係合突条11を突設するとともに、容器体口頸部３外周所定位置に周方向多数の係止突条５を突設し、第１装着筒10の口頸部３外周への螺合最終段階で、上記各係合突条11が各係止突条５に乗り越え係合して第１装着筒10の容器体Ａに対する回動を防止した場合には、通常の螺着で中栓B1を容器体Ａに対して回動不能に装着することができるため、組み付け操作が容易であり、また、計量キャップB2の度重なる螺脱があっても中栓B1が螺動上昇して螺合が弛み、その結果シール部分が弛む等の虞がなく、中栓B1を容器体Ａに対して確実に螺着させておくことができる。
【００２０】
また、前記中栓B1外周に螺着させた第２装着筒20上端縁より内方へ延設した第２フランジ21を介して計量キャップB2の外周を一体に連結した場合には、計量キャップB2を使用する場合に第２フランジ21が指の支えとなって計量キャップB2が滑り落ちるのを確実に防止できる。
【００２１】
また、前記中栓B1の上面周縁部に起立した支持筒16外周に前記第２装着筒20を螺着させるとともに、第２装着筒20の上端より内方へ前記第２フランジ21を延設し、該第２フランジ21の下面に突設した環状のシール突条23を支持筒16上面に圧接し、且つ、該第２フランジ21の下面に突設した第１シール筒24を支持筒16内周に密嵌させた場合には、シール部分が二重シールとなっているため、頻繁な着脱が予測されるにも拘わらず確実なシール性を得られる。
【発明を実施するための最良の形態】
【００２２】
以下、本発明の実施例の形態を図面を参照して説明する。
【００２３】
図１乃至図５は本発明の計量・注出用装置を有する閉蓋具を使用した液体容器の一例を示し、該容器は、容器体Ａと、閉蓋具Ｂとを備え、閉蓋具Ｂは更に、中栓B1と、計量キャップB2と、可動蓋B3とを備えている。
【００２４】
容器体Ａは合成樹脂により形成され、弾性的に圧搾可能な胴部２より口頸部３を起立した所謂ボトルタイプのもので、口頸部３外周には第１螺条４を周設し、また、第１螺条４の下部の口頸部３下端部に周方向多数の係止突条５を突設している。
【００２５】
中栓B1は合成樹脂により形成され、口頸部３外周に螺着した第１装着筒10を備えている。第１装着筒10は内周下端部に周方向多数の係合突条11を突設しており、また、その上方の内周下端部に前記第１螺条４と螺合する第２螺条12を周設している。そして、口頸部３上方より第１装着筒10を螺着させて、その終点位置に於いて、各係合突条11を口頸部３の各係止突条５に強制的に乗り越え係合させ、容器体Ａに対する中栓B1の回動を防止する如く構成している。
【００２６】
第１装着筒10の上端より内方へ第１フランジ13を延設するとともに、第１フランジ13の内周縁より蓋板14を延設している。蓋板14は、周縁部に於いて、第１フランジ13内周縁より下方へ筒状に垂下した筒状部14a と、該筒状部14a の下端縁より内方へ延設し、口頸部３上端開口に掛け渡した横壁部14b とで構成し、筒状部14a 外周下部を口頸部３内周に密嵌させてこの部分に於ける液の漏出を防止する如く構成している。また、横壁部14b は、前後方向中間部でＶ字状に凹んだ形状をなしており、後部の傾斜部分に下端を開口して上方へ注出筒15を起立している。また、中栓B1にはこの注出筒15を縦断し、注出筒15に隣接する横壁部14b の一部に連設した排水用の切溝ｓを設けている。更に、第１フランジ13の上面内周縁部より上方へ支持筒16を立設し、この支持筒16の外周に第３螺条17を周設している。
【００２７】
計量キャップB2は、支持筒16外周に螺着させた第２装着筒20の上端縁より内方へ延設した第２フランジ21を介して外周を一体に連結した下端開口の有頂筒状をなしている。第２装着筒20は内面に、前記第３螺条17と螺合する第４螺条22を周設し、また、第２フランジ21の下面には、支持筒16上面に圧接してその部分のシール性を付与する環状のシール突条23を突設し、また、その内周に垂設した第１シール筒24を支持筒16内周に密嵌させてその部分の液密性を付与している。従って、この部分はシール突条23と第１シール筒24との二重シール構造となっている。
【００２８】
計量キャップB2は周壁25の上端縁より頂壁26を延設し、頂壁26の上面中央部を横断して帯状に下方へ凹ませた凹部27を備えている。また、凹部27内の中央部には注出筒部28を立設している。注出筒部28は下端を凹部27底部位置の頂壁26に開口して計量キャップB2内と下端開口を連通させた上下端開口の筒状をなし、外周上端部に可動蓋の抜け出しを防止するための第１環状突条29を突周設している。更に、この注出筒部28内の中央部には棒栓30を支持している。棒栓30は、注出筒部28の内周下端部より周方向複数突設した放射状の支持リブ31により支持されており、上面は半球状に形成している。
【００２９】
可動蓋B3は、凹部27の平面形状をなす頂板40の下面より垂設した摺動筒41を注出筒部28の外周に摺動可能に嵌合させている。この摺動筒41の内周下端部には、可動蓋B3を上昇させた際に前記第１環状突条29と係合可能な第２環状突条42を突周設している。また、摺動筒41内周の頂板40下面からは第２シール筒43を垂設し、該第２シール筒43の内周下端部に突設した環状のシール凸部44を注出筒部28の内周に液密摺動可能に嵌合させている。
【００３０】
頂板40の中央部には注出孔45を穿設している。この注出孔45は可動蓋B3が最下降状態に於いて、棒栓30の上端部が液密に嵌合する如く構成しており、可動蓋B3を上昇させれば棒栓30の先端部が外れて開口する如く構成している。また、頂板40の周縁部から周壁部46を垂設しており、周壁部46の両側部分は、前記凹部27両側開口部分を計量キャップ周壁25に沿って閉塞する如く構成している。
【００３１】
上記の如く構成した閉蓋具Ｂは、図１に示す如く、通常は棒栓30により注出孔45を閉塞しており、使用に当たっては、可動蓋B3を上昇させた後、容器体Ａを傾けるか或いは容器体Ａの胴部を圧搾することにより、注出筒部28を介して注出孔45から収納液を外部へ注出する。
【００３２】
また、必要に応じて一度に大量の液を使用したい場合には、図１の状態から計量キャップB2を螺脱し、注出筒15を介して容器体Ａ内の液を注出使用する。更に、適量の液を使用する場合には、図１の状態から計量キャップB2を螺脱し、計量キャップB2内に注出筒15を介して容器体Ａ内の液を計量し、次いで、可動蓋B3を下方へ引き下げて注出孔45を開口し、計量液を注出孔45から滴下する。或いは、そのまま計量キャップを傾けて、その開口から計量液を注出しても良い。
【図面の簡単な説明】
【００３３】
【図１】本発明閉蓋具の拡大した縦断面図である。（実施例１）
【図２】本発明閉蓋具の拡大した平面図である。（実施例１）
【図３】本発明閉蓋具の拡大した要部縦断面図である。（実施例１）
【図４】本発明閉蓋具の斜視図である。（実施例１）
【図５】本発明閉蓋具の液注出可能状態の斜視図である。（実施例１）
【符号の説明】
【００３４】
Ａ…容器体，３…口頸部，５…係止突条，B1…中栓，10…第１装着筒，11…係合突条，  14…蓋板，15…注出筒，16…支持筒，B2…計量キャップ，20…第２装着筒，
21…第２フランジ，23…シール突条，24…第１シール筒，26…計量キャップ頂壁，
27…凹部，28…注出筒部，30…棒栓，B3…可動蓋，40…頂板，45…注出孔
【図１】
0004748583.tif 000002
【図２】
0004748583.tif 000003
【図３】
0004748583.tif 000004
【図４】
0004748583.tif 000005
【図５】
0004748583.tif 000006